(57)【要約】【課題】各種の小型電動フィギュアを任意に配置して、個々に配線を繋ぐことなく、それらを揃ってさせて動作させる。【解決手段】電動フィギュア配置台１として絶縁体２の１面に縦方向、横方向に等間隔で行列状に配列された円柱状突起３を設け、その円柱状突起３の表面に導電電極５の導電電極面４が現れるようにする。導電電極５は、裏面側で、縦方向の列においても横方向の列においても１つ置きのものが同極になるように接続し、全体で２極の接続になるようにする。その結果、縦横方向に隣り合う円柱状突起３の導電電極面は必ず異極同士となるから、２個の円柱状突起に嵌合する電動フィギュアはどこの位置に立てても必ず異極を取り込め動作させることができる。【選択図】        図１
2004267406.tif 000002
【特許請求の範囲】
【請求項１】
絶縁体の表面上で等間隔平行直線群を直交させたと想定したときの各交点に相当する複数の位置に平行直線間隔より小さい直径の円柱状突起が形成され、該円柱状突起の表面の一部が導電電極面となっており、該導電電極は前記直交するいずれの方向にも１つ置きのもの同士が電気的に接続されている２線接続となっていることを特徴とする電動フィギュア配置台。
【請求項２】
絶縁体が板状である請求項１記載の電動フィギュア配置台。
【請求項３】
２つの電極を有し、この２つの電極間に流れる電流がオン・オフすることにより定まった動きをする電動フィギュアであって、その底部は請求項１記載の電動フィギュア配置台の複数の円柱状突起と嵌合する構造であり、嵌合することにより自立するとともに、前記２つの電極が、請求項１における想定直線のいずれか一方の方向で隣接する２つの円柱状突起の導電電極面にそれぞれ接触するか又は間に偶数個の円柱状突起を挟んだ両端の２つの円柱状突起の導電電極面と接触するように設けられていることを特徴とする電動フィギュア。
【請求項４】
請求項１又は請求項２記載の電動フィギュア配置台と請求項３記載の電動フィギュアとからなることを特徴とするブロック玩具。
【発明の詳細な説明】
【０００１】
【発明の属する技術分野】
本発明は、電流のオン・オフによって簡単な動作をする人形、動物、怪獣等（これらをフィギュアと言う）を好きなように配置するだけで、別途配線を要することなく電流のオン・オフができ、動作させることのできる電動フィギュア配置台と電動フィギュアの技術分野に属する。
【０００２】
【従来の技術】
従来の電動フィギュアは内部に電池を収納し、スイッチをオンにすることにより簡単な動作を続けるものであるとか、或いは外部からの配線を接続して動作させるというものであり、また、同じフィギュアを複数個動作させたり、人形と動物というように異なる種類のフィギュアを複数動作させて楽しもうとしても、それぞれが個別に動作するというものであった。
【０００３】
出願人が本件出願の時に知っている先行技術文献はない。
【０００４】
【発明が解決しようとする課題】
しかしながら、内部に電池を収納するフィギュアは、電池を収納する分どうしても大きくなってしまい、これを避けようとして電池を小型にすると電池の交換頻度が高くなるという問題がある。従って、電池式ミニチュアフィギュアを造りにくいという問題がある。
外部配線を必要とするフィギュアは、そのような配線が繋がっているということ自体、スマートさに欠けるという嫌いがある。
【０００５】
更に、複数個のフィギュア、例えば複数の人形がオーケストラで楽器を演奏するような動作をさせようとする場合や、剣を持った人形と怪獣フィギュアとを戦わせようとする場合には、フィギュアの動きに或る程度の関連性を持たせる（同期させる）ことが効果的であるが、従来のものではそのようなことはできないという問題があった。
【０００６】
本発明の目的は、上記従来技術の問題点に鑑みて、電池を収納しない電動フィギュアに対して外部配線に依らずして給電可能であり、フィギュアの配置も種々変えることができ、且つ複数或いは複数種類のフィギュアの動作を同期させることのできる電動フィギュア配置台と電動フィギュアを提供することにある。
【０００７】
【課題を解決するための手段】
上記の目的を達成するために、本発明は下記の各構成を有する。
本発明の第１の構成は、絶縁体の表面上で等間隔平行直線群を直交させたと想定したときの各交点に相当する複数の位置に平行直線間隔より小さい直径の円柱状突起が形成され、該円柱状突起の表面の一部が導電電極面となっており、該導電電極は前記直交するいずれの方向にも１つ置きのもの同士が電気的に接続されている２線接続となっていることを特徴とする電動フィギュア配置台である。
【０００８】
本発明の第２の構成は、前記第１の構成において、絶縁体が板状である電動フィギュア配置台である。
本発明の第３の構成は、２つの電極を有し、この２つの電極間に流れる電流がオン・オフすることにより定まった動きをする電動フィギュアであって、その底部は前記第１の構成の電動フィギュア配置台の複数の円柱状突起と嵌合する構造であり、嵌合することにより自立するとともに、前記２つの電極が、前記第１の構成における想定直線のいずれか一方の方向で隣接する２つの円柱状突起の導電電極面にそれぞれ接触するか又は間に偶数個の円柱状突起を挟んだ両端の２つの円柱状突起の導電電極面と接触するように設けられていることを特徴とする電動フィギュアである。
【０００９】
本発明の第４の構成は、前記第１の構成又は第２の構成の電動フィギュア配置台と前記第３の構成の電動フィギュアとからなることを特徴とするブロック玩具である。
【００１０】
【発明の実施の形態】
本発明は、電流のオン・オフをすることによって簡単な動作をする人形、動物、怪獣等（これらをフィギュアと呼ぶ）を好きなように配置して動作させそれを楽しむという玩具に関するものである。
フィギュアは動きをさせて楽しむものであるから単に置いただけでは不安定である。そのため配置台を設け、配置台に簡単に嵌合させることにより安定し自立し動作ができるようにしてある。そして、配置位置を自由に選べるようにするために、配置台の嵌合構造は一面に渡って単純構造の繰返しという構造にしてある。
【００１１】
そのような構造として、合成樹脂のような絶縁部材の１面上で等間隔平行直線群を直交させたと想定したときの各直線同士の交点に相当する位置、具体的には、碁盤の縦横の線の交点に相当する位置に平行直線間隔より小さい直径の円柱状突起を形成している。即ち、この円柱状突起がフィギュアの底の凹部と嵌合することによりフィギュアの安定した自立が得られる。
【００１２】
更に、フィギュアを動作させるにはこれに通電させなければならない。そのため、フィギュア嵌合凹部には通電用電極２個（＋，−用）が設けられている。
これに対応して接触するように、配置台の円柱状突起の表面の一部分を導電電極面としている。この導電電極面は、フィギュアの通電用電極の位置に応じて、円柱状突起の側面にあってもよいし、上面にあってもよい。そして、通電には２極必要であるから、円柱状突起列の想定直交直線のいずれの方向においても隣り合う円柱状突起の導電電極面で１対２極となるように接続されている。換言すれば１つ置きの導電電極同士が同極として接続されている。そのため、フィギュアの嵌合部分は少なくとも想定直線方向の隣り合う２個の円柱状突起に嵌合し、フィギュアの２個の通電電極のそれぞれが２個の円柱状突起の一方の導電電極面と他方の導電電極面に接触するようになっている。
【００１３】
そして、フィギュアのこのような嵌合および接触は、円柱状突起の配列が前述のように碁盤目状になっているから、向きを左右に９０度変えても、また１８０度変えても同様に得られるから、結局、フィギュアは配置台の任意の場所で４通りの向きの配置嵌合が可能ということになる。
【００１４】
従って、いろいろなフィギュアをいろいろな場所および向きに配置して、配置台の２極へ通電制御することにより、フィギュアに同期のとれた動作を行わせることができる。
【００１５】
以上は、フィギュアの底部が、２個の円柱状突起に嵌合する場合について述べたが、大きなフィギュアで多数の円柱状突起に嵌合する場合には、フィギュアの２個の通電電極は、想定直線方向で隣接する２個の円柱状突起の導電電極に接触するように設けるか、間に偶数個の円柱状突起を挟んだ両端の円柱状突起の導電電極面に接触するように設けるようにすればよい。その理由は、隣り合う円柱状突起の導電電極同士は異極であり、１つ置きに同極になるように接続されているからである。
【００１６】
【実施例】
以下、本発明の実施例を図面を参照して説明する。
図１は本発明の電動フィギュア配置台の実施例の構造図である。図１の（ａ）は電動フィギュア配置台１のフィギュア配置面の平面図であり、（ｂ）は（ａ）のＡ−Ａ断面図である。主材としての絶縁体２（例えば合成樹脂）の平面に円柱状突起３が碁盤目状に配列形成されており、その中心に導電電極５が埋め込まれており、円柱状突起３の上面と同一面で導電電極面４を形成している。この導電電極面４は円柱状突起の上面に限られるものではなく、円柱の側面にあってもよい。
【００１７】
導電電極５は、絶縁体２の裏面側で図１の（ｃ）のように、縦方向にも横方向にも１つ置きのものが接続導体６により１方の極として接続され、その結果、（ｃ）に示す＋と−のように２極の接続系列が形成されている。
接続導体６は電線による接続であっても、プリント配線であってもよい。プリント配線の場合には線が交差しないようにする工夫が必要である。このような配線で（ｃ）の＋端と−端から電源を供給することにより縦方向、横方向のいずれにおいても隣り合う円柱状突起の導電電極面は異極となる。
【００１８】
図２は、フィギュア７が配置台の円柱状突起と嵌合する状況を示す図であり、（ａ）は嵌合前、（ｂ）は嵌合した状態を示す図である。
フィギュア７の上部は図示されていないが、人形、動物、怪獣その他電動機構によって動く種々なフィギュアである。その底部は嵌合部８，８を有しており、（ｂ）に示すように円柱状突起２個を挟むように嵌合することにより安定した自立が得られるようになっている。このとき、（ｂ）に示すようにフィギュア７の電極９，９が円柱状突起３の導電電極面４，４に接触する。
このような嵌合により、図１の（ｃ）のスイッチ１２を閉じたとき、電源１１の両極がフィギュア７の電極９，９に接続されることになる。
【００１９】
なお、図１の（ｃ）では電源１１のオン・オフは単なるスイッチ１２で行われるようになっているが、このスイッチ１２を電子スイッチにして、オン・オフ制御回路により様々なパターンのオン・オフを行わせることにより、フィギュアの動作にバラエティを持たせることができる。また、目を光らせたり、音を出させたりすることもできる。
【００２０】
【発明の効果】
以上説明したように、本発明の電動フィギュア配置台および電動フィギュアによれば、電動フィギュア配置台の円柱状突起が配列されている面の広さに応じて種々のフィギュアを好みの場所に４通りの向きで配置することができ、且つフィギュアの底部を配置台の円柱状突起と嵌合させるだけで安定して自立するとともに通電が可能となり別途の配線を必要としない利点があり、電流をオン・オフ制御することにより、配置したフィギュアに揃って動作をさせ、光を発しさせ或いは音を発しさせるなどして楽しむことができるという利点がある。
【図面の簡単な説明】
【図１】本発明の電動フィギュア配置台の実施例の構造および電極接続を示す図である。
【図２】電動フィギュアの嵌合部と、電動フィギュア配置台の円柱状突起との嵌合状況および電極接触の状況を示す図である。
【符号の説明】
１  電動フィギュア配置台
２  絶縁体
３  円柱状突起
４  導電電極面
５  導電電極
６  接続導体
７  フィギュア
８  嵌合部
９  電極
１０  配線
１１  電源
１２  スイッチ
【図１】
2004267406.tif 000003
【図２】
2004267406.tif 000004